(57)【要約】      （修正有）【課題】ディスクドライブ装置において、ディスクチャッキング機構の構造、組立を簡素化する。【解決手段】チャッキング機構は、ディスクテーブル上にディスクをチャッキングするプレート１２と、プレート１２を支持するチャッキング部材１３と、プレート１２をアーム１３に回転自在に取り付けている取付部１４とを備えている。取付部１４は、アーム１３と一体に形成されていて、プレート１２の回転中心軸１２ｂを回転自在に支持する軸受部１４ａと、軸受部を挟んで対向する取付部の先端部を切り欠いて形成された軸導入部１４ｂと、を備えている。軸導入部の幅は、回転中心軸の径よりも小径に形成されている。回転中心軸は、軸導入部の幅に縮径されて軸受部に導入されたのちに元の径に弾性復元する。【選択図】図１１
2008204605.tif 000002
【特許請求の範囲】
【請求項１】
ディスクテーブル上にディスクを押し付けるチャッキングプレートと、
上記チャッキングプレートを上記ディスクに接離可能に支持するチャッキング部材と、
上記チャッキング部材に一体に上記チャッキングプレートを回転自在に取り付けているチャッキングプレート取付部とを設け、
上記チャッキングプレート取付部に、上記チャッキングプレートの上面の回転中心軸を回転自在に支持する軸受部及び該軸受部に上記回転中心軸を導入する軸導入部を有するアームと、該アームの上方に配置されていて、上記回転中心軸を上記軸受部に導入すると上記回転中心軸の上端部に設けたフランジ部を上記アームとの間に挿入する保持片を一体に設け、
上記チャッキングプレート取付部には、上記チャッキングプレートが上記回転中心軸の軸方向と直交する方向に上記軸受部から回転中心軸が抜け出るのを阻止するストッパー部が一体に設けられているディスクチャッキング機構において、
上記チャッキングプレート取付部を弾性を有する素材で形成し、上記軸受部を挟んで上記ストッパー部と対向する上記チャッキングプレート取付部の先端部を切り欠いて上記軸導入部を形成し、該軸導入部の幅を、上記チャッキングプレートの回転中心軸の径よりも小径に形成し、上記回転中心軸を圧入による弾性変形により上記軸導入部の幅に縮径させて上記軸受部に導入し、上記回転中心軸は上記軸受部に導入されたのち元の径に弾性復元することを特徴とする
ディスクチャッキング機構。
【発明の詳細な説明】
【技術分野】
【０００１】
ディスクをディスクテーブルに押し付けて、上記ディスクをディスクテーブルと一体的に回転させるディスクチャッキング機構に関するものである。
【背景技術】
【０００２】
ディスクチャッキング機構を備えたディスクドライブ装置として、図１９に示したものが知られている。図１９は、上記ディスクチャッキング機構１０１を備えたディスクドライブ装置１０２の要部を示す斜視図である。上記ディスクチャッキング機構１０１は、ディスクテーブル１０３上にディスク１０４を押し付けてチャッキングするチャッキングプレート１０５と、上記チャッキングプレート１０５を上記ディスク１０４に対して接離可能に支持するチャッキング部材１０６と、上記チャッキングプレート１０５を上記チャッキング部材１０６に回転自在に取り付けているチャッキングプレート取付部１０７とを備えている。
【０００３】
上記チャッキング部材１０６は、アルミニウム合金等により形成されている。また、上記チャッキングプレート取付部１０７は、ステンレススチール（ＳＵＳ）等の金属板により上記チャッキング部材１０６とは、別体に形成されている。
【０００４】
上記チャッキングプレート取付部１０７は、上記チャッキングプレート１０５を回転自在に取り付けたのち、ビス１０８によって上記チャッキング部材１０６に組み付けられるようになっている。
【発明の開示】
【発明が解決しようとする課題】
【０００５】
ところで、上記従来のディスクチャッキング機構１０１及びディスクドライブ装置１０２には次に述べるような問題点があった。
【０００６】
（１）ディスクチャッキング機構１０１を構成するチャッキング部材１０６とチャッキングプレート取付部１０７を別体に形成しているため、そのぶん部品点数が増え、部品管理コストも高くなる。
【０００７】
（２）チャッキングプレート取付部１０７をビス１０８でチャッキング部材１０６に取り付ける工程が必要となり、そのぶん製造工程が繁雑になって製造コストも高くなる。
【０００８】
（３）ビス１０８の緩みによりチャッキングプレート取付部１０７がチャッキング部材１０６から脱落してしまう虞がある。
【０００９】
本発明は、チャッキング部材とチャッキングプレート取付部を一体に形成すると共に、該チャッキングプレート取付部に簡単かつ確実にチャッキングプレートを取り付けることができるようにして上記従来の問題点を解決したものである。
【課題を解決するための手段】
【００１０】
本発明は、ディスクテーブル上にディスクを押し付けるチャッキングプレートと、上記チャッキングプレートを上記ディスクに接離可能に支持するチャッキング部材と、上記チャッキング部材に一体に上記チャッキングプレートを回転自在に取り付けているチャッキングプレート取付部とを設け、上記チャッキングプレート取付部に、上記チャッキングプレートの上面の回転中心軸を回転自在に支持する軸受部及び該軸受部に上記回転中心軸を導入する軸導入部を有するアームと、該アームの上方に配置されていて、上記回転中心軸を上記軸受部に導入すると上記回転中心軸の上端部に設けたフランジ部を上記アームとの間に挿入する保持片を一体に設け、上記チャッキングプレート取付部には、上記チャッキングプレートが上記回転中心軸の軸方向と直交する方向に上記軸受部から回転中心軸が抜け出るのを阻止するストッパー部が一体に設けられているディスクチャッキング機構において、
上記チャッキングプレート取付部を弾性を有する素材で形成し、上記軸受部を挟んで上記ストッパー部と対向する上記チャッキングプレート取付部の先端部を切り欠いて上記軸導入部を形成し、該軸導入部の幅を、上記チャッキングプレートの回転中心軸の径よりも小径に形成し、上記回転中心軸を圧入による弾性変形により上記軸導入部の幅に縮径させて上記軸受部に導入し、上記回転中心軸は上記軸受部に導入されたのち元の径に弾性復元させるという簡単な方法でチャッキングプレートをチャッキング部材に取り付けることができるようにした。
【発明の効果】
【００１１】
チャッキングプレート取付部を弾性を有する素材で形成し、軸受部を挟んでストッパー部と反対側に軸導入部を形成し、該軸導入部の幅を、チャッキングプレートの回転中心軸の径よりも小径に形成したので、軸導入部を押し広げて回転中心軸を軸受部に導入することができる。
【発明を実施するための最良の形態】
【００１２】
図１は、本発明の参考例のディスクチャッキング機構を備えたディスク記録及び／又は再生装置、例えばコンパクトディスクプレーヤとしてのディスクドライブ装置の要部を示す斜視図である。上記ディスクドライブ装置１は、メカシャーシ２と、該メカシャーシ２上にシリコンオイルダンパ等の緩衝部材３を介してフローティング状態に支持された光学シャーシ４を備えている。
【００１３】
上記メカシャーシ２は、ディスクローディングローラ５を有している。上記ディスクローディングローラ５は、上記メカシャーシ２に下端を回動可能に取り付けられたローラ支持アーム６の上端に取り付けられている。上記ローラ支持アーム６は、スプリング７によって上記ディスクローディングローラ５をディスク挿入位置に上昇させた状態に支持している。そして、上記ローラ支持アーム６は、後に説明する光学シャーシロック用の回動部材２１に設けたローラ支持アーム２５で押圧操作され、上記スプリング７のばね力に抗して回動して、上記ディスクローディングローラ５を下降させるようになっている。
【００１４】
上記光学シャーシ４は、ディスクテーブル８と光学ピックアップ９等からなる記録及び／又は再生部を備えている。上記ディスクローディングローラ５とその上部に配置されたディスクガイド板（図示省略）との間にディスク１０を挿入すると、上記ディスクローディングローラ５は、時計方向に回転して、上記ディスク１０をディスクテーブル８上に送り込んで回転を停止する。そして、上記回動アーム６は、下方に向けて回動して上記ディスクローディングローラ５を下降させてディスク１０をディスクテーブル８上に載置するようになっている。そして、上記ディスクテーブル８上に載置されたディスク１０は、ディスクチャッキング機構１１によって上記ディスクテーブル８に押し付けられてチャッキングされるようになっている。
【００１５】
上記ディスクチャッキング機構１１は、ディスクテーブル８上にディスク１０を押し付けるチャッキングプレート１２と、該チャッキングプレート１２を上記ディスク１０に対して接離可能に支持するチャッキング部材１３と、上記チャッキングプレート１２を上記チャッキング部材１３に回転自在に取り付けているチャッキングプレート取付部１４とを備えている。上記チャッキングプレート取付部１４は、チャッキング部材１３と一体に形成されている。
【００１６】
図２は、上記ディスクチャッキング機構１１の分解斜視図である。上記チャッキングプレート１２は、上記ディスクテーブル８と略同径の円板状に形成されたプレート本体部１２ａと、該プレート本体部１２ａの上面に中央部に設けられた円筒状の回転中心軸１２ｂと、該回転中心軸１２ｂの上端に設けられた大径のフランジ部１２ｃと、該フランジ部１２ｃの上面の中央部に設けられた半球状の被押さえ部１２ｄを備えている。上記回転中心軸１２ｂは、軸方向に分割されていて縮径させやすいようになっている。上記チャッキングプレート１２は、プラスチックで形成されている。
【００１７】
上記チャッキング部材１３は、長さ方向の中央部に上記チャッキングプレート取付部１４を設けたアーム本体部１３ａと、該アーム本体部１３ａの長さ方向の両端部に設けられた第１，第２のアーム１３ｂ，１３ｃとを備えている。
【００１８】
上記第１，第２のアーム１３ｂ，１３ｃは、一端部に軸１３ｄ，１３ｅを有している。
【００１９】
上記チャッキング部材１３は、上記軸１３ｄ，１３ｅを上記光学シャーシ４に設けた一対の軸受部４ａ，４ｂに挿入することにより、上記光学シャーシ４に回動可能に取り付けられている。
【００２０】
上記チャッキング部材１３は、スプリング１５によって上記軸１３ｄ，１３ｅを中心にして矢印Ａ方向（下方）への回動力を付与されている。上記第２のアーム１３ｃは、上記軸１３ｅと反対側の端部に傾斜状の被押圧部１６を有していて、該被押圧部１６の下面を後に説明する光学シャーシロック用の回動部材２１に設けたチャッキング部材操作部２６で押圧操作され、上記スプリング１５のばね力に抗して上記軸１３ｄ，１３ｅを中心にして回動するようになっている。上記チャッキング部材１３は、アルミニウム合金等の金属により形成されている。
【００２１】
上記チャッキングプレート取付部１４は、上記チャッキングプレート１２の回転中心軸１２ｂを回転自在に支持する軸受部１４ａ及び該軸受部１４ａへ上記回転中心軸１２ｂを導入する軸導入部１４ｂを設けたアーム１４ｃと、該アーム１４ｃの上方に配置されていて上記回転中心軸１２ｂを上記軸受部１４ａを導入すると上記回転中心軸１２ｂの上端のフランジ部１２ｃを上記アーム１４ｃとの間で挟むと共に上記フランジ部１２ｃの上面の被押さえ部１２ｄを押さえる保持片１４ｄと、を備えている。
【００２２】
図３（Ａ）に示したように、上記アーム１４ｃと保持片１４ｄは、上記軸受部１４ａ及び軸導入部１４ｂを構成する略Ｖ字状の切欠部（スリット）１４ｅを中心にして、その外側と内側に形成されている。そして、図３（Ｂ）に示したように、上記アーム１４ｃの根元部分に略直角の折曲部１４ｆを設けることにより、上記アーム１４ｃと保持片１４ｄの間に段差をもたせるようになっている。
【００２３】
また、上記保持片１４ｄには、上記軸受部１４ａに導入した回転中心軸１２ｂが上記軸導入部１４ｂから抜け出るのを阻止するストッパー部１４ｇが設けられている。上記ストッパー部１４ｇは、上記保持片１４ｄに略Ｕ字状の切欠部（スリット）１４ｈの内側の矩形状の舌片を傾斜状に切り起こして、その先端を下方に向けて略直角に折り曲げることにより形成されている。
【００２４】
次に、上記チャッキングプレート１２のチャッキングプレート取付部１４への取付方法について説明する。図４に示したように、上記チャッキングプレート１２のフランジ部１２ｃを上記保持片１４ｄの下方に、かつ上記チャッキングプレート１２の回転中心軸１２ｂを上記アーム１４ｃの軸導入部１４ｂの側方に位置させる。
【００２５】
そして、上記チャッキングプレート１２を矢印Ａ方向に移動させれば、図５に示したように、上記回転中心軸１２ｂは、上記軸導入部１４ｂを介して軸受部１４ａに導入されると共に、上記フランジ部１２ｃは、上記アーム１４ｃと保持片１４ｄの間に挿入された状態になる。そして、図６に示したように上記ストッパー部１４ｇを下方に向けて折り曲げて上記軸導入部１４ｂを塞ぐことにより、上記チャッキングプレート１２が上記回転中心軸１２ｂの軸方向と直交する方向に軸受部すなわち上記軸導入部１４ｂから抜け出るのを阻止された状態で、上記軸受部１４ａ及び軸導入部１４ｂに跨るようにして回転自在に、かつ上記フランジ部１２ｃの上面の半球形状の被押さえ部１２ｄの頂部と保持片１４ｄの下面の隙間Ｇの範囲内において上下動可能に支持された状態になるのである。図７は、図６に示す回転中心軸１２ｂが回転自在に取り付けられた状態の平面図である。すなわち、チャッキングプレート１２は、アーム１４ｃと保持片１４ｄ間にフランジ部１２ｃが介在されて回転中心軸１２ｂの軸方向の移動が規制され、アーム１４ｃとストッパー部１４ｇ間に回転中心軸１２ｂとフランジ部１２ｃが介在されて、回転中心軸１２ｂの軸方向と直交する方向の移動が規制されて脱落しなくなる。
【００２６】
図８〜図１０は、ディスクチャッキング機構の他の参考例を示す。この参考例において、上記チャッキング部材１３は、弾性を有する例えばステンレススチールや燐青銅等の素材で形成されている。上記ストッパー部１４ｇの先端は、上方に向けて略直角に折り曲げられている。上記ストッパー部１４ｇは、予め上記軸導入部１４ｂを塞ぐ位置に折り曲げた状態で配置されている。
【００２７】
そして、図８に示したように、ストッパー部１４ｇは、矢印Ｘ方向に弾性変移可能とされている。また、上記チャッキングプレート１２のフランジ部１２ｃを上記保持片１４ｄの下方に、かつ上記チャッキングプレート１２の回転中心軸１２ｂを上記アーム１４ｃの軸導入部１４ｂの側方に位置させて、上記チャッキングプレート１２を矢印Ａ方向に移動させれば、図９に示したように、上記ストッパー部１４ｇは、上記フランジ部１２ｃの先端部で押圧されて、上記軸導入部１４ｂを開く方向に逃げ移動する。
【００２８】
そして、図１０に示したように、上記回転中心軸１２ｂが軸受部１４ａ内に導入されて、上記フランジ部１２ｃによる押圧を解除された状態になると、上記ストッパー部１４ｇは、自身の持つばね力で元の位置に自動的に弾性復帰して、上記軸導入部１４ｂを塞いで、チャッキングプレート１２すなわち上記回転中心軸１２ｂが抜け出るのを阻止するようになっている。
【００２９】
図１１〜図１３は、本発明のディスクチャッキング機構を示す。本発明のディスクチャッキング機構において、上記軸導入部１４ｂは、略三角形状のアーム１４の先端に設けられている。上記軸導入部１４ｂの幅ＷＳは、上記回転中心軸１２ｂの直径Ｄよりも小径に形成されている。また、軸受部１４ａの口径幅ＷＬは回転中心軸１２ｂの直径Ｄよりもやや大径に形成されている。そして、チャッキングプレート１２の上記回転中心軸１２ｂを軸導入部１４ｂから無理して挿入（圧入）すると、チャッキングプレート１２はプラスチックで形成されているので回転中心軸１２ｂも多少弾性変形する。上記回転中心軸１２ｂを軸導入部１４ｂに無理して挿入（圧入）すると、上記回転中心軸１２ｂの直径Ｄは、上記軸導入部１４ｂの幅ＷＳに縮径されて、上記軸受部１４ａに導入されたのち、元の直径Ｄに弾性復元し、上記軸導入部１４ｂから抜け出るのを阻止されると共に、上記軸受部１４ａに回転自在に支持される。１４ｉは、上記軸受部１４ａに導入された回転中心軸１２ｂが上記軸受部１４ａの上記軸導入部１４ｂの反対側から抜け出るのを防止するためのストッパー部である。他の構成については、先の参考例と同じであるので重複する説明を省略する。なお、各部の作用は図１〜図７で述べた参考例と同様である。
【００３０】
上記ディスクチャッキング機構を備えたディスクドライブ装置１は、上述したように、ディスクローディングローラ５とその上部に配置されたディスクガイド板（図示省略）との間にディスク１０を挿入すると、上記ディスクローディングローラ５が回転して、上記ディスク１０をディスクテーブル８上に送り込む。上記ディスク１０がディスクテーブル８上に送り込まれると、上記ディスク１０によって後に説明するトリガーレバー３１が押圧操作されて、上記光学シャーシ４の下方で、かつメカシャーシ２の上面に配置された光学シャーシロック用の回動部材２１が回動し、該回動部材２１に設けた光学シャーシロック部２４による光学シャーシ４のロックを解除し、光学シャーシ４を上記オイルダンパー等の緩衝部材３によってフローティング状態にすると共に、上記回動部材２１に設けたローラ支持アーム操作部２５で上記ディスクローディングローラ５を下降させて、ディスク１０をディスクテーブル８上に載置し、かつ上記ディスク１０をディスクチャッキング機構１１によって、ディスクテーブル８上にチャッキングするようになっている。
【００３１】
図１４は、光学シャーシ４を取り外してメカシャーシ２の上面を見た平面図である。上記メカシャーシ２の上面には回動部材２１が配置されている。上記回動部材２１は、略円弧状に形成されている。上記回動部材２１は、複数の円弧状のスライドガイド用の長孔溝２２…２２を有していて、これらスライドガイド用の長孔溝２２…２２に、上記メカシャーシ２の上面にピン２３…２３を挿入することにより、上記長孔２２…２２の長さの範囲内で回転方向にスライドするようになっている。
【００３２】
上記回動部材２１は、上記光学シャーシ４を緩衝部材３に抗してメカシャーシ２にロックする３個の光学シャーシロック部２４…２４と、上記ディスクローディングローラ５を取り付けたローラ支持アーム６をスプリング７のばね力に抗して回動させて上記ディスクローディングローラ５を下降させるローラ支持アーム操作部２５と、上記ディスクチャッキング機構１１のチャッキング部材１３に設けた被押圧部１６の下面を押圧して、該チャッキング部材１３を軸１３ｄ，１３ｅを中心にして上下方向に回動させるチャッキング部材操作部２６を備えている。
【００３３】
そして、上記回動部材２１が時計方向に最も回動した状態において、図１及び図１５に示したように、上記回動部材２１に設けた光学シャーシロック部２４…２４で上記光学シャーシ４に設けた被ロック部４ｃ…４ｃをメカシャーシ２側にロックし、上記ローラ支持アーム操作部２５で上記ローラ支持アーム６の下端部６ａを押圧し、上記ディスクローディングローラ５をディスク挿入位置に停止させていると共に、上記チャッキング部材操作部２６で上記チャッキング部材１３の被押圧部１６を押圧して、上記チャッキング部材１３を上方に向けて回動させて、上記チャッキングプレート１２とディスクテーブル８との間にディスク１０を挿入することのできる空間を形成している。
【００３４】
そして、この状態で、ディスク１０をディスクローディングローラ５とディスクガイド板との間に挿入すると、上記ディスクローディングローラ５が回転して、上記ディスク１０がディスクテーブル８の上方に送り込まれ、該ディスク１０によってトリガーレバー３１が押圧操作される。
【００３５】
図１４に示したように、上記トリガーレバー３１は、略中央部を軸３２により上記メカシャーシ２に回動可能に取り付けられた第１レバー３３と、略中央部を軸３４により上記回動部材２１に回動可能に取り付けられた第２レバー３５とを備えている。そして、上記ディスク１０がディスクテーブル８の上方に送り込まれると、上記第１レバー３３の一端部に設けたピン３６が押圧され、上記第１レバー３３は、上記軸３２を中心にして時計方向に回動し、他端部の押圧部３７で上記第２レバー３５の一端部３８を押圧する。
【００３６】
上記一端部３８を押圧された第２レバー３５は、軸３４を中心にして、その先端に作用するスプリング３９のばね力に抗して反時計方向に回動し、図１６に示したように、上記第２レバー３５の一側部に設けたラック４０がピニオン４１と噛合する。そして、上記ピニオン４１が時計方向に回転すると、上記第２レバー３５のラック４０を介して、上記ピニオン４１は、上記回動部材２１に設けたラック４２と噛合し、上記回動部材２１を反時計方向に回転させる。
【００３７】
そして、図１７及び図１８に示したように、上記回動部材２１が最も反時計方向に回転した状態になると、上記光学シャーシロック部２４…２４による光学シャーシ４の被ロック部４ａ…４ａのロックが解除され、上記光学シャーシ４は、メカシャーシ２上に緩衝部材３を介してフローティング状態に支持された状態になる。また、上記ローラ支持アーム操作部２５で上記ローラ支持アーム６の下端部６ａを押圧し、該ローラ支持アーム６をスプリング７のばね力に抗して回動させて、上記ディスクローディングローラ５を下降させて、ディスク１０をディスクテーブル８上に載置すると共に、上記チャッキング部材操作部２６による被押圧部１６の押し上げを解除し、上記チャッキング部材１３をスプリング１５のばね力で下方に向けて回動させて、上記チャッキングプレート１２によってディスク１０をディスクテーブル８上に押し付けてディスクのチャッキングを行う。
【図面の簡単な説明】
【００３８】
【図１】記録及び／又は再生装置の要部の斜視図。
【図２】参考例のディスクチャッキング機構の分解斜視図。
【図３】（Ａ）と（Ｂ）は、チャッキング部材の製造工程を示す斜視図。
【図４】チャッキングプレートの組付工程を示す断面図。
【図５】チャッキングプレートの組付工程を示す断面図。
【図６】チャッキングプレートの組付工程を示す断面図。
【図７】チャッキングプレートを組み付けた状態の要部の平面図。
【図８】他の参考例の組付工程を示す断面図。
【図９】他の参考例の組付工程を示す断面図。
【図１０】他の参考例の組付工程を示す断面図。
【図１１】本発明の実施例を示す分解斜視図。
【図１２】本発明の実施例の組付工程を示す平面図。
【図１３】本発明の実施例の組付工程を示す平面図。
【図１４】光学シャーシを取り外した状態の平面図。
【図１５】図１の要部の断面図。
【図１６】トリガーレバーの作用を示す平面図。
【図１７】回動部材がロック解除位置に移動した状態の平面図。
【図１８】回動部材がロック解除位置に移動した状態の要部の断面図。
【図１９】従来例の斜視図。
【符号の説明】
【００３９】
１…記録及び／又は再生装置、８…ディスクテーブル、１０…ディスク、１１…ディスクチャッキング機構、１２…チャッキングプレート、１２ｂ…回転中心軸、１２ｃ…フランジ部、１３…チャッキング部材、１４…チャッキングプレート取付部、１４ａ…軸受部、１４ｂ…軸導入部、１４ｃ…アーム、１４ｄ…保持片、１４ｇ…ストッパー部。
【図１】
2008204605.tif 000003
【図２】
2008204605.tif 000004
【図３】
2008204605.tif 000005
【図４】
2008204605.tif 000006
【図５】
2008204605.tif 000007
【図６】
2008204605.tif 000008
【図７】
2008204605.tif 000009
【図８】
2008204605.tif 000010
【図９】
2008204605.tif 000011
【図１０】
2008204605.tif 000012
【図１１】
2008204605.tif 000013
【図１２】
2008204605.tif 000014
【図１３】
2008204605.tif 000015
【図１４】
2008204605.tif 000016
【図１５】
2008204605.tif 000017
【図１６】
2008204605.tif 000018
【図１７】
2008204605.tif 000019
【図１８】
2008204605.tif 000020
【図１９】
2008204605.tif 000021